(57)【要約】【課題】  複数のサービスネットワークを同一のバックボーンネットワークに収容する場合において、バックボーンネットワークのエッジノード間でサービスネットワーク情報を交換する場合におけるバックボーンネットワークのコアノードでの処理を軽減し、エッジノード間で交換するサービスネットワーク情報の種別の変更に柔軟に対応可能とすることを課題とする。【解決手段】  バックボーンネットワーク１とサービスネットワーク７とを接続するエッジノード２が、サービスネットワーク情報を生成し、カプセル化によってバックボーンネットワークの制御情報に含め、透過転送用に定義されたオブジェクトの識別子を付与して、バックボーンネットワーク１とサービスネットワーク８とを接続するエッジノード４へ向けて送信する構成とした。【選択図】      図１
2007067505.tif 000002
【特許請求の範囲】
【請求項１】
少なくとも、第１のサービスネットワーク及び第２のサービスネットワークを収容するバックボーンネットワーク上において、前記バックボーンネットワークと前記第１のサービスネットワークとを接続するエッジノードであって、
前記エッジノードは、
サービスネットワーク情報を生成し、当該サービスネットワーク情報をカプセル化によってバックボーンネットワークの制御情報に含め、透過転送用に定義されたオブジェクトの識別子を付与して、前記バックボーンネットワークと前記第２のサービスネットワークとを接続する他のエッジノードへ向けて送信する
ことを特徴とするエッジノード。
【請求項２】
前記エッジノードは、
前記バックボーンネットワークの制御情報を処理するバックボーン情報処理部と、
前記サービスネットワーク情報を処理するサービスネットワーク情報処理部と
を備え、
前記サービスネットワーク情報処理部は、
サービスネットワーク情報を生成し、当該サービスネットワーク情報を前記バックボーン情報処理部へ出力する
ことを特徴とする請求項１に記載のエッジノード。
【請求項３】
前記バックボーン情報処理部は、
前記サービスネットワーク情報処理部が出力したサービスネットワーク情報を受け取り、当該サービスネットワーク情報をカプセル化によってバックボーンネットワークの制御情報に含め、透過転送用に定義されたオブジェクトの識別子を付与して、前記バックボーンネットワークと前記第２のサービスネットワークとを接続する他のエッジノードへ向けて送信する
ことを特徴とする請求項２に記載のエッジノード。
【請求項４】
少なくとも、第１のサービスネットワーク及び第２のサービスネットワークを収容するバックボーンネットワーク上において、前記バックボーンネットワークと前記第１のサービスネットワークとを接続する第１のエッジノードから、前記バックボーンネットワークと前記第２のサービスネットワークとを接続する第２のエッジノードへ送信される情報の中継を行うコアノードであって、
前記コアノードは、
隣接ノードから転送されたバックボーンネットワークの制御情報に、透過転送用に定義されたオブジェクトの識別子が付与されている場合は、サービスネットワーク情報をカプセル化によってバックボーンネットワークの制御情報に含められた状態のまま、前記第２のエッジノードへ向けて転送するバックボーン情報処理部
を備えることを特徴とするコアノード。
【請求項５】
少なくとも、第１のサービスネットワーク及び第２のサービスネットワークを収容するバックボーンネットワーク上において、前記バックボーンネットワークと前記第２のサービスネットワークとを接続するエッジノードであって、
前記エッジノードは、
前記バックボーンネットワークと前記第１のサービスネットワークとを接続する他のエッジノードから送信されたバックボーンネットワークの制御情報を受信し、当該バックボーンネットワークの制御情報に、透過転送用に定義されたオブジェクトの識別子が付与されている場合は、カプセル化によって当該バックボーンネットワークの制御情報に含められたサービスネットワーク情報をデカプセル化によって抽出し、処理する
ことを特徴とするエッジノード。
【請求項６】
前記エッジノードは、
前記バックボーンネットワークの制御情報を処理するバックボーン情報処理部と、
前記サービスネットワーク情報を処理するサービスネットワーク情報処理部と
を備え、
前記バックボーン情報処理部は、
前記バックボーンネットワークと前記第１のサービスネットワークとを接続する他のエッジノードから送信されたバックボーンネットワークの制御情報を受信し、当該バックボーンネットワークの制御情報に、透過転送用に定義されたオブジェクトの識別子が付与されている場合は、カプセル化によって当該バックボーンネットワークの制御情報に含められたサービスネットワーク情報をデカプセル化によって抽出し、当該サービスネットワーク情報を前記サービスネットワーク情報処理部へ出力する
ことを特徴とする請求項５に記載のエッジノード。
【請求項７】
前記サービスネットワーク情報処理部は、
前記バックボーン情報処理部が出力した前記サービスネットワーク情報を受け取り、当該サービスネットワーク情報を処理する
ことを特徴とする請求項６に記載のエッジノード。
【発明の詳細な説明】
【技術分野】
【０００１】
本発明は、複数のサービスネットワークを同一のバックボーンネットワークに収容する場合において、バックボーンネットワークのエッジノード間でサービスネットワーク情報を交換する場合におけるバックボーンネットワーク上のエッジノードおよびコアノードに関する。
【背景技術】
【０００２】
複数のサービスネットワークを同一のバックボーンネットワークに収容する場合において、バックボーンネットワークは、エッジノード間で交換するサービスネットワーク情報を転送する必要がある。従来の技術として、バックボーンネットワークが、サービスネットワーク情報とバックボーンネットワークの制御情報とを区別せずに、双方ともバックボーンネットワークの制御情報として転送する方法がある（非特許文献１参照）。
【非特許文献１】「Generalized Multi-Protocol Label Switching(GMPLS) Architecture」，IETF，［online］，2004年10月掲載，［2005年6月29日検索］，インターネット＜URL:ftp://ftp.rfc-editor.org/in-notes/rfc3945.txt＞
【発明の開示】
【発明が解決しようとする課題】
【０００３】
しかしながら、従来の技術では、バックボーンネットワークのエッジノード間で交換するサービスネットワーク情報は、バックボーンネットワークのコアノードにおいて処理する必要がないにも拘わらず、エッジノードによってバックボーンネットワークの制御情報として定義される。したがって、バックボーンネットワークのコアノードにおいて処理する必要がある他のバックボーンネットワークの制御情報と区別がつかないため、コアノードは、サービスネットワーク情報を他のバックボーンネットワークの制御情報と同等に処理する必要がある。また、エッジノードは、バックボーンネットワークのエッジノード間で交換するサービスネットワーク情報の種別が変更されるたびに、サービスネットワーク情報をバックボーンネットワークの制御情報として定義し直す必要がある。
【０００４】
そこで本発明は、以上のような問題点に鑑みてなされたものであり、複数のサービスネットワークを同一のバックボーンネットワークに収容する場合において、バックボーンネットワークのエッジノード間でサービスネットワーク情報を交換する場合におけるバックボーンネットワークのコアノードでの処理を軽減し、エッジノード間で交換するサービスネットワーク情報の種別の変更に柔軟に対応可能とすることを課題とする。
【課題を解決するための手段】
【０００５】
本発明は、前記課題を解決するために創案されたものであり、本発明のエッジノードは、少なくとも、第１のサービスネットワーク及び第２のサービスネットワークを収容するバックボーンネットワーク上において、前記バックボーンネットワークと前記第１のサービスネットワークとを接続するエッジノードであって、前記エッジノードが、サービスネットワーク情報を生成し、当該サービスネットワーク情報をカプセル化によってバックボーンネットワークの制御情報に含め、透過転送用に定義されたオブジェクトの識別子を付与して、前記バックボーンネットワークと前記第２のサービスネットワークとを接続する他のエッジノードへ向けて送信する構成とした。
【０００６】
ここで、サービスネットワークとは、通信サービスを提供するネットワークのことである。また、バックボーンネットワークとは、複数のサービスネットワークを提供する上で共通的に使用される大容量の基幹通信回線ネットワークのことである。バックボーンネットワークの制御情報とは、バックボーンネットワーク内の経路情報の交換、経路設定、及び解放等を行うための情報のことである。さらに、サービスネットワーク情報とは、各サービスネットワークの属性情報のことである。
【０００７】
また、エッジノードとはバックボーンネットワークとサービスネットワークとを接続するノードのことである。
【０００８】
かかる構成によれば、少なくとも、第１のサービスネットワーク及び第２のサービスネットワークを収容するバックボーンネットワーク上において、バックボーンネットワークと第１のサービスネットワークとを接続するエッジノードは、サービスネットワーク情報を生成し、当該サービスネットワーク情報をカプセル化によってバックボーンネットワークの制御情報に含め、透過転送用に定義されたオブジェクトの識別子を付与して、バックボーンネットワークと第２のサービスネットワークとを接続する他のエッジノードへ向けて送信する。
【０００９】
バックボーンネットワークの制御情報を転送するプロトコルのオブジェクトフォーマットは、ＩＥＴＦ（Internet Engineering Task Force）等による標準化のために、厳格に既定されている。したがって、サービスネットワーク情報をバックボーンネットワークの制御情報に重畳して転送する際、バックボーンネットワークの制御情報と同等の扱いで含めると、サービスネットワーク情報まで含めて、バックボーンネットワークの制御情報を転送するプロトコルのオブジェクトフォーマットを規定する必要があるが、サービスネットワーク情報をカプセル化し、バックボーンネットワークからブラックボックス化することによって、透過転送用のオブジェクトを一旦定義するだけで、サービスネットワーク情報に対応した内容は再規定の必要がなくなる。
【００１０】
また、本発明のコアノードは、少なくとも、第１のサービスネットワーク及び第２のサービスネットワークを収容するバックボーンネットワーク上において、前記バックボーンネットワークと前記第１のサービスネットワークとを接続する第１のエッジノードから、前記バックボーンネットワークと前記第２のサービスネットワークとを接続する第２のエッジノードへ送信される情報の中継を行うコアノードであって、前記コアノードが、隣接ノードから転送されたバックボーンネットワークの制御情報に、透過転送用に定義されたオブジェクトの識別子が付与されている場合は、サービスネットワーク情報をカプセル化によってバックボーンネットワークの制御情報に含められた状態のまま、前記第２のエッジノードへ向けて転送するバックボーン情報処理部を備える構成とした。
【００１１】
かかる構成によれば、少なくとも、第１のサービスネットワーク及び第２のサービスネットワークを収容するバックボーンネットワーク上において、バックボーンネットワークと第１のサービスネットワークとを接続する第１のエッジノードから、バックボーンネットワークと第２のサービスネットワークとを接続する第２のエッジノードへ送信される情報の中継を行うコアノードであって、コアノードが、隣接ノードから転送されたバックボーンネットワークの制御情報に、透過転送用に定義されたオブジェクトの識別子が付与されている場合は、サービスネットワーク情報をカプセル化によってバックボーンネットワークの制御情報に含められた状態のまま、第２のエッジノードへ向けて転送する。このように、コアノードは、バックボーンネットワークの制御情報に、透過転送用に定義されたオブジェクトの識別子が付与されている場合は、コアノードでの処理が不要であると判定することが可能となるので、コアノードでの処理が軽減される。
【００１２】
ここで、コアノードとはバックボーンネットワーク内において、エッジノード間の転送を中継するノードのことであり、直接的にはエッジノード間、エッジノードとコアノード、又はコアノード間を接続するノードのことである。
【００１３】
さらに、本発明のエッジノードは、少なくとも、第１のサービスネットワーク及び第２のサービスネットワークを収容するバックボーンネットワーク上において、前記バックボーンネットワークと前記第２のサービスネットワークとを接続するエッジノードであって、前記エッジノードが、前記バックボーンネットワークと前記第１のサービスネットワークとを接続する他のエッジノードから送信されたバックボーンネットワークの制御情報を受信し、当該バックボーンネットワークの制御情報に、透過転送用に定義されたオブジェクトの識別子が付与されている場合は、カプセル化によって当該バックボーンネットワークの制御情報に含められたサービスネットワーク情報をデカプセル化によって抽出し、処理する構成とした。
【００１４】
かかる構成によれば、少なくとも、第１のサービスネットワーク及び第２のサービスネットワークを収容するバックボーンネットワーク上において、バックボーンネットワークと第２のサービスネットワークとを接続するエッジノードであって、エッジノードが、バックボーンネットワークと第１のサービスネットワークとを接続する他のエッジノードから送信されたカプセル化によってバックボーンネットワークの制御情報に含められたサービスネットワーク情報を受信し、当該サービスネットワーク情報を当該バックボーンネットワークの制御情報から抽出し、処理する。このように、エッジノードは、バックボーンネットワークの制御情報に含まれたサービスネットワーク情報を抽出し、処理することが可能である。したがって、エッジノード間で交換するサービスネットワーク情報の種別の変更があった場合に、エッジノードは、サービスネットワーク情報をエッジノード間で交換する必要があるが、バックボーンネットワークの制御情報のフォーマットに合わせて再規定する必要がないので、サービスネットワーク情報の種別の変更に対して柔軟に対応することが可能となる。
【発明の効果】
【００１５】
本発明によれば、複数のサービスネットワークを同一のバックボーンネットワークに収容する場合において、バックボーンネットワークのエッジノード間でサービスネットワーク情報を交換する場合におけるバックボーンネットワークのコアノードでの処理を軽減し、エッジノード間で交換するサービスネットワーク情報の種別の変更に柔軟に対応可能とすることが可能となる。
【発明を実施するための最良の形態】
【００１６】
次に、本発明を実施するための最良の形態（以下、「実施形態」という）について図面を参照して説明する。
図１は、本発明の一実施形態に係るネットワーク構成の全体図である。図１に示すようにバックボーンネットワーク１は、エッジノード２と、コアノード３と、エッジノード４とを備えている。また、エッジノード２とコアノード３との間に制御情報リンク５とデータ転送リンク６とが張られている。コアノード３とエッジノード４との間にも同様に制御情報リンク５とデータ転送リンク６とが張られている。ここで、コアノード３の個数は説明の都合上、１つに限定して示してあるが、個数は特に限定されるものではない。
【００１７】
サービスネットワーク７は、エッジノード２によってバックボーンネットワーク１に接続されている。また、サービスネットワーク８は、エッジノード４によってバックボーンネットワーク１に接続されている。サービスネットワーク７は、ノード７ａを備え、ノード７ａとエッジノード２との間にリンク７ｂが張られている。サービスネットワーク８は、ノード８ａを備え、ノード８ａとエッジノード４との間にリンク８ｂが張られている。ここで、ノード７ａ，８ａ、リンク７ｂ，８ｂの個数は説明の都合上、各サービスネットワークに１つずつとして限定して示してあるが、これらの個数は特に限定されるものではない。
【００１８】
制御情報リンク５とは、バックボーンネットワーク１の制御情報を転送するリンクである。データ転送リンク６とは、バックボーンネットワーク１を介して、サービスネットワーク７とサービスネットワーク８との間で転送する情報を転送するリンクである。
【００１９】
なお、本実施形態では、サービスネットワーク７において情報を送信し、サービスネットワーク８において情報を受信する場合を例にとって説明する。
【００２０】
エッジノード２、コアノード３、エッジノード４、ノード７ａ、及びノード８ａは、スイッチング機能を有する装置である。例えば、ＧＭＰＬＳ（Generalized Multi Protocol Label Switching）のＬＳＲ（Label Switching Router）、波長クロスコネクト、ルータなどが相当する。制御情報リンク５、データ転送リンク６、リンク７ｂ、及びリンク８ｂは、ノード間を接続し、情報を転送する媒体である。例えば、光ファイバなどが相当する。
【００２１】
以下、図２から図４を参照して、送信側エッジノード、コアノード、及び受信側エッジノードの構成について詳細に説明する。図２から図４において、ノード内の処理で情報はそのまま転送されるので、ノードを通過する前後において、情報には同一の符号を付してある。また、本実施形態においては、エッジノード間で転送される情報を１つのコアノードが中継することとしたが、コアノードの数は特に限定されるものではない。
【００２２】
＜エッジノード２の説明＞
まず、図２を参照して、送信側のエッジノード２の構成について説明する。図２は、本発明の一実施形態に係る送信側エッジノードの構成を示すブロック図である。図２において、エッジノード２は、サービスネットワーク情報処理部２１とバックボーン情報処理部２２とを含んで構成される。
【００２３】
サービスネットワーク情報処理部２１は、サービスネットワーク情報ＳＥを生成し、エッジノード２の内部転送経路２３を通じて、サービスネットワーク情報ＳＥとしてバックボーン情報処理部２２へ転送する。
【００２４】
ここで、サービスネットワーク情報とは、各サービスネットワークの属性情報のことであり、例えば、サービスネットワーク情報の種別のことである。このサービスネットワーク情報の種別には、例えば、エッジノードに収容される複数のサービスネットワークを一意に識別する情報がある。この情報としては、例えば、エッジノード内にあるサービスネットワーク毎のルーチングテーブルに付与される識別子があり、バックボーンネットワーク１の制御処理を契機にバックボーンネットワーク制御に付随して生成される。
また、サービスネットワーク情報には、サービスネットワーク情報の種別以外の種別も存在し、例えば、サービスネットワークのサブネットマスクがある。
【００２５】
バックボーン情報処理部２２は、まず、サービスネットワーク情報処理部２１から内部転送経路２３を通して転送されたサービスネットワーク情報ＳＥを受信する。その後、サービスネットワーク情報ＳＥを、バックボーンネットワークの制御情報ＢＫ上に透過転送用オブジェクトとして定義されたパラメータ内に、ＭＩＭＥ（Multipurpose Internet Mail Extension）エンコード等の透過転送可能なコーディングを用いてカプセル化する。また、バックボーン情報処理部２２は、カプセル化されたバックボーンネットワークの制御情報ＣＡに、透過転送用に定義されたオブジェクトの識別子を付与し、隣接ノード（コアノード３）のアドレスを付与して、コアノード３へ転送する。
【００２６】
以上、本発明の一実施形態に係る送信側エッジノードの構成について説明したが、送信側のエッジノード２は、例えば、記憶部と処理部とを備え、記憶部に格納された送信側エッジノードのプログラムを処理部が実行することにより、前記した各機能を実現することが可能である。また、ここでは、エッジノード２が、送信側のエッジノードとして機能する場合を説明したが、エッジノード２は、受信側のエッジノードとしての機能も有することによって、情報の送受信を行うことが可能となる。
【００２７】
＜コアノード３の説明＞
次に、図３を参照して、コアノードの構成について説明する。図３は、本発明の一実施形態に係るコアノードの構成を示すブロック図である。図３において、コアノード３は、バックボーン情報処理部３２を含んで構成される。
【００２８】
バックボーン情報処理部３２は、まず、エッジノード２のバックボーン情報処理部２２（図２参照）から制御情報リンク５を通して転送された、カプセル化されたバックボーンネットワークの制御情報ＣＡを受信する。バックボーン情報処理部３２は、受信したカプセル化されたバックボーンネットワークの制御情報ＣＡに、透過転送用に定義されたオブジェクトの識別子が付与されていることから、コアノード３での処理が不要であると判断する。そして、ＭＩＭＥエンコード等の透過転送可能なコーディングを用いてエンコードしたものに、透過転送用に定義されたオブジェクトの識別子を付与したまま、デコードすることなくエッジノード４へ透過転送し、バックボーンネットワークの制御情報ＢＫにカプセル化されたサービスネットワーク情報ＳＥを、制御情報リンク５を通して送信する。
【００２９】
以上、本発明の一実施形態に係るコアノードの構成について説明したが、コアノード３は、例えば、記憶部と処理部とを備え、記憶部に格納されたコアノードのプログラムを処理部が実行することにより、前記した各機能を実現することが可能である。
【００３０】
＜エッジノード４の説明＞
次に、図４を参照して、受信側エッジノードの構成について説明する。図４は、本発明の一実施形態に係る受信側エッジノードの構成を示すブロック図である。図４において、エッジノード４は、サービスネットワーク情報処理部４１とバックボーン情報処理部４２とを含んで構成される。
【００３１】
バックボーン情報処理部４２は、まず、コアノード３のバックボーン情報処理部３２（図３参照）から制御情報リンク５を通して送信されたバックボーンネットワークの制御情報ＢＫを受信する。バックボーン情報処理部４２は、受信したバックボーンネットワークの制御情報ＢＫに、透過転送用に定義されたオブジェクトの識別子が付与されている場合は、受信したバックボーンネットワークの制御情報ＢＫが、カプセル化されたバックボーンネットワークの制御情報ＣＡであると判定する。バックボーン情報処理部４２は、カプセル化されたバックボーンネットワークの制御情報ＣＡを受信したと判定すると、カプセル化されたバックボーンネットワークの制御情報ＣＡから、透過転送用に定義されたオブジェクトの識別子を削除し、ＭＩＭＥエンコード等の透過転送可能なコーディングを用いてエンコードされたものをデコードして、サービスネットワーク情報ＳＥをデカプセル化によって抽出し、エッジノード４の内部転送経路４３を通して、抽出したサービスネットワーク情報ＳＥをサービスネットワーク情報処理部４１へ転送する。
【００３２】
サービスネットワーク情報処理部４１は、まず、バックボーン情報処理部４２から内部転送経路４３を通して転送されたサービスネットワーク情報ＳＥを受信する。その後、受信したサービスネットワーク情報ＳＥを処理する。例えば、サービスネットワーク情報処理部４１は、バックボーンネットワークの制御情報ＢＫで設定したパスを、当該制御情報に含まれたサービスネットワーク情報ＳＥで示されたサービスネットワークに割り振ることができる。その際、サービスネットワーク情報処理部４１は、受信したサービスネットワーク情報ＳＥを用いて、エッジノード４に収容される複数のサービスネットワークを一意に識別することができる。これにより、エッジノード４にバックボーンネットワークの制御情報で設定したパスとサービスネットワークとの対応付けを、パスの設定とは独立した手段（事前に手動で設定する手段等）で行うことが不要となる。
【００３３】
以上、本発明の一実施形態に係る受信側エッジノードの構成について説明したが、受信側のエッジノード４は、例えば、記憶部と処理部とを備え、記憶部に格納された受信側エッジノードのプログラムを処理部が実行することにより、前記した各機能を実現することが可能である。また、ここでは、エッジノード４が、受信側のエッジノードとして機能する場合を説明したが、エッジノード４は、送信側のエッジノードとしての機能も有することによって、情報の送受信を行うことが可能となる。
【００３４】
以上の構成により、エッジノードは、送信するサービスネットワーク情報を、バックボーンネットワークの制御情報に含めることによって、バックボーンネットワークからはサービスネットワーク情報の中身がブラックボックス化されるので、標準化された仕様に合わせてサービスネットワーク情報を再規定する必要がなくなる。例えば、エッジノード間で交換するサービスネットワーク情報の種別の変更があった場合に、エッジノードは、サービスネットワーク情報をエッジノード間で交換する必要があるが、バックボーンネットワークの制御情報のフォーマットに合わせて再規定する必要がなくなる。したがって、エッジノードは、パスの設定のためのバックボーンネットワークの制御情報にサービスネットワーク情報を含めて送信することによって、パスの情報と個別のサービスネットワークの情報を同時に送信することが可能となり、サービスネットワーク情報が含まれたバックボーンネットワークの制御情報を受信したエッジノードにおいて、設定されたパスと個別のサービスネットワークとの関連付けを自動設定することが可能となり、サービスネットワーク情報の種別の変更に対して柔軟に対応することが可能となる。また、コアノードは、バックボーンネットワークの制御情報に、透過転送用に定義されたオブジェクトの識別子が付与されている場合は、コアノードでの処理が不要であると判定することが可能となるので、コアノードでの処理が軽減される。
【００３５】
また、本実施形態においては、２つのサービスネットワークを収容するバックボーンネットワークについて説明してきたが、３つ以上のサービスネットワークを収容する場合であっても、そのうち２つのサービスネットワークの組み合わせを選択し、本発明を適用することで、本発明の効果を得ることが可能である。
【００３６】
さらに、本実施形態においては、１つのエッジノードが送信した情報を１つのエッジノードが受信する場合について説明してきたが、１つのエッジノードが送信した情報を複数のエッジノードが受信する形態をとることも可能である。
【図面の簡単な説明】
【００３７】
【図１】一実施形態に係るネットワーク構成の全体図である。
【図２】一実施形態に係る送信側エッジノードの構成を示すブロック図である。
【図３】一実施形態に係るコアノードの構成を示すブロック図である。
【図４】一実施形態に係る受信側エッジノードの構成を示すブロック図である。
【符号の説明】
【００３８】
１      バックボーンネットワーク
２，４  エッジノード
３      コアノード
５      制御情報リンク
６      データ転送リンク
７，８  サービスネットワーク
２１，４１  サービスネットワーク情報処理部
２２，３２，４２  バックボーン情報処理部
２３，４３  内部転送経路
ＢＫ    バックボーンネットワークの制御情報
ＣＡ    カプセル化されたバックボーンネットワークの制御情報
ＳＥ    サービスネットワーク情報
【図１】
2007067505.tif 000003
【図２】
2007067505.tif 000004
【図３】
2007067505.tif 000005
【図４】
2007067505.tif 000006